Podtech/llm-jp-corpus-v4-ja_patent huggingface dataset:
(57)【要約】【課題】  土が軟らかくて安定せず、植物の重みなどで支柱が傾くのを解消する。【解決手段】  水に強いプラスチックなどの素材で、半円筒の上部と側面に板を付けた傾き防止用具を発明した。これを使用する場合は１個から２個を支柱の脇に差し込んで使う。【選択図】図２
2008200021.tif 000002
【特許請求の範囲】
【請求項１】
半円筒の上部と側面に板を付けることによって土の抵抗を増し支柱を安定させる。
【発明の詳細な説明】
【技術分野】
【０００１】  この発明は、野菜や花などを支えるのに使う支柱が傾くのを防ぎ安定させるために、支柱にそって土に差込んで使う傾き防止用具に関するものである。
【背景技術】
【０００２】  従来、支柱は土に差し込むことによって安定させて使うものであり、支柱の傾きを防ぐ用具はなかった。
【発明の開示】
【発明が解決しょうとする課題】
【０００３】  本発明は、近年農業技術が向上し、野菜や花を植える土の配合方法も進み非常に良い状態の土に植えられるようになった。しかし良い土は軟らかい場合が多いので、支柱は安定せずグラグラして真っ直ぐや斜めの希望の位置に固定できない。以上のような状態をなくすためになされたものである。
【課題を解決するための手段】
【０００４】  半円筒１を縦にし上部に板２を付け、円筒部の外側側面に板３を付ける。以上の構成よりなる支柱の傾き防止用具である。
【発明の効果】
【０００５】  軟らかい土に支柱を立てると安定せず、紐やネットを付けるときの引っ張りかげんで傾いたり、植物の重さによっても傾くときがある。又植木鉢やプランターは底が浅い為いっそう安定が悪くなる。そこで本発明品の傾き防止用具を使うと、真っ直ぐにも斜めにも希望の位置に固定することが出来る。
【発明を実施するための最良の状態】
【０００６】  半円筒１の上部に板２を付け側面に板３をつけ、これをプラスチックなどの水に強い素材で作る。真っ直ぐに立てる支柱には支柱に沿って差し込むと良いし、図３のように向かい合わせで２個使うと安定性が高まる。支柱を斜めに使う場合は、図４ように傾いた側に使う。
【図面の簡単な説明】
【０００７】
【図１】  本発明の正面図である
【図２】  本発明の斜視図である
【図３】  本発明を２個使用する場合の図である
【図４】  本発明品を斜めの支柱に使用する場合の図である
【符号の説明】
【０００８】      １  半円筒
２  上部用板
３  側面用板
【図１】
2008200021.tif 000003
【図２】
2008200021.tif 000004
【図３】
2008200021.tif 000005
【図４】
2008200021.tif 000006
(57)【要約】      （修正有）【課題】有害な副生成物を出さず、エネルギー効率が高い環境有害物質（ダイオキシン類又はＮＯｘ）の処理方法を提案する。【解決手段】カーボンナノチューブ（ＣＮＴ）電子源７から放出される電子９およびその加速を用いて、上述した環境有害物質を脱塩素化および還元反応によって処理すれば、処理過程で高温を必要とせず、有害物質を出すことなく分解無害化処理が可能である。電子のみにエネルギーが注入され、高密度電子発生が可能なため、エネルギー効率および試料の処理量、時間が大幅に改善される。【選択図】図１
2008200057.tif 000002
【特許請求の範囲】
【請求項１】
カーボンナノチューブ（ＣＮＴ）から放出される高密度の電子およびその加速を用いて、ダイオキシン類（クロロフェノールおよびポリ塩化ビフェニール（ＰＣＢ）などの含ハロゲン化合物を含む）を脱塩素化、還元反応により高効率分解、無害化処理する方法。一酸化窒素（ＮＯ）もしくは二酸化窒素（ＮＯ２）などの大気汚染物質であるＮＯｘを、ＣＮＴから放出される高密度の電子およびその加速を用いて還元反応により、窒素および酸素の無害なガスに効率良く分解、無害化処理する方法。
【発明の詳細な説明】
【技術分野】
【０００１】  本発明は、カーボンナノチューブ（ＣＮＴ）から放出される電子およびその加速を用いた環境有害物質｛ダイオキシン類、クロロフェノールおよびポリ塩化ビフェニール（ＰＣＢ）、ＮＯｘ｝処理方法に関するものである。
【背景技術】
【０００２】  従来のダイオキシン類の処理方法は燃焼法が、ＮＯｘ処理に関しては、吸着剤併用放電プラズマ方式が主流である。【０００３】  燃焼法は、８００度以上での燃焼温度が必要であり工業的に不利、燃焼過程で再びダイオキシン類が発生する可能性が高い。吸着剤併用放電プラズマを用いたＮＯｘ処理は、処理およびエネルギー効率の低さが問題である。（例えば特許公報  特開２００１−３００２４９号参照）【０００４】
【特許文献１】  特開２００１−３００２４９号  公報
【発明の開示】
【発明が解決しようとする課題】
【０００５】  高性能な環境汚染物質除去技術を実現するための課題として高温を必要としない、エネルギー効率が高い、処理速度が速い技術の開発が課題となっている。【０００６】  本発明は、これら従来の処理方式が抱える問題を解決するものであり、ＣＮＴから放出される電子およびその加速を用いて還元反応を起こし、高度に酸化された有害物｛ダイオキシン類（クロロフェノールおよびポリ塩化ビフェニール（ＰＣＢ）などの含ハロゲン化合物を含む）、ＮＯｘ｝を効率良く、無害化（還元）することを目的とする。
【課題を解決するための手段】
【０００７】  本発明は、上記の目的を達成するため、ＣＮＴを電極として用いた点、さらにこの電極を環境有害物質処理に適用したことである。【０００８】  ＣＮＴは、化学的に安定、機械的に強靭であり、縦横（アスペクト）比が非常に高く、電流密度は、ＧＡ／ｃｍ２程度得られる。そのため、低電圧（低電界強度）で、高密度の電子放出が可能、真空中もしくは低気圧中で使用することで、放出された電子は強く加速され、ほとんど損失なく大きな電子エネルギーを得る。【０００９】  真空中でＣＮＴ電極を用いると、その電極から放出される電子の作用により、高度に酸化されたダイオキシン類（クロロフェノールおよびポリ塩化ビフェニール（ＰＣＢ）などの含ハロゲン化合物を含む）は、脱塩素化および還元反応により無害化され、処理過程で有害な副生成物は発生しない。【００１０】  ＣＮＴ電極を用いたＮＯｘ処理に関しては、電子のみにエネルギーが注入されるので、エネルギー効率が放電プラズマ方式と比較して大幅に改善される。
【発明の効果】
【００１１】  上述したように、本発明のＣＮＴ電子源をダイオキシン類（クロロフェノールおよびポリ塩化ビフェニール（ＰＣＢ）などの含ハロゲン化合物を含む）、ＮＯｘの環境有害物質処理に適用することは、高度に酸化された有害物を完全に無害化することができ、高効率処理方式として提供できる。
【発明を実施するための最良の形態】
【００１２】  処理を目的とした試料に電子を均一に照射するために、ＣＮＴ電子源の上部にグリッド電極、さらにアノード電極を設置する。グリッド電極には、直流正電圧１ｋＶ、アノード電極には、直流もしくはパルス正電圧  ＞１ｋＶを用いるのが望ましい。【００１３】  ＣＮＴは、多層カーボンナノチューブを用いる。電流密度は、ＣＮＴ１本あたり、＞５００μＡ／ｃｍ２が望ましい。【００１４】  処理用の容器内は、真空もしくは低圧力下で用いることが望ましい。【００１５】  ［００１４］の条件下では、低電界強度でＣＮＴから電子放出およびその加速が容易に起こるので、大型の高電圧発生装置は必要とせず、装置の小型化、コスト低減に大きく寄与できる。【００１６】  以下、本発明の実施の形態を図１に基づいて説明する。６に直流電圧を印加、８を接地することで７から高密度の電子放出、その後、放出された９は加速され、大きなエネルギーを得て１０に衝突。１０がダイオキシン類（クロロフェノールおよびポリ塩化ビフェニール（ＰＣＢ）などの含ハロゲン化合物を含む）の場合、９の寄与で脱塩素化、還元反応を起こし、ダイオキシン類は無害化処理される。１０がＮＯｘの場合、９の寄与でＮＯｘは、還元され、無害な窒素ガスもしくは酸素ガスに分解処理される。【００１７】  ＣＮＴ電子源から放出される電子のみにエネルギーが注入され、電子密度は、ＣＮＴの電流密度にも依存するが１０１５ｃｍ−３以上は発生可能であり、放電プラズマ方式と比較してエネルギー効率および試料の処理量、時間は大幅に改善される。【００１８】  電子を用いた還元反応処理のため、処理の過程で高温を必要とせず、有害な副生成物が発生することは、極めて低い。
【産業上の利用可能性】
【００１９】  ダイオキシン類（クロロフェノールおよびポリ塩化ビフェニール（ＰＣＢ）などの含ハロゲン化合物を含む）、ＮＯｘなどの大気汚染物質の高効率分解無害化処理に適用可能である。
【図面の簡単な説明】
【図１】ＣＮＴ電子源から放出される電子およびその加速を用いたダイオキシン類（クロロフェノールおよびポリ塩化ビフェニール（ＰＣＢ）などの含ハロゲン化合物を含む）、およびＮＯｘ処理用装置図
【符号の説明】
（１）    有害物質処理用チャンバー
（２）    ガス導入口
（３）    ガス排出口
（４）    アノード電極
（５）    直流もしくはパルス高電圧
（６）    グリッド電極
（７）    カーボンナノチューブ（ＣＮＴ）電子源
（８）    接地
（９）    ＣＮＴから放出された電子
（１０）  処理を目的とした試料
【図１】
2008200057.tif 000003
(57)【要約】      （修正有）【課題】従来は筒の外側にネジを設けたり、接合部にナット等を用いて固定する状態で外観的にも構造的にも美観と操作が複雑で、しかも長く伸ばした時に外筒より可動筒が抜けてしまうことも、また、がたつきもあった。本発明はこれらを解決し可動筒先端に設置しかつ誰にでも簡単に止着出来る伸縮棒を提供する。【解決手段】複数の筒状体21,22を伸縮自在に一体化した物で伸長時に外筒21から可動筒部22が抜け落ちないように、又伸ばした時の外筒21と可動筒部22のがたつきをなくすためのガイド、１１１を使用した。【選択図】図２
2008200840.tif 000002
【特許請求の範囲】
【請求項１】
複数本の筒を順次差し合わせる、と共に伸縮自由に任意の長さに固定する事を、特徴とする伸縮棒。
【請求項２】
可動筒が外筒より抜け落ちなくする事、と長さを長く固定したときの接合部の、がたつきを無くし安定さす事の出来る、ガイド、図２−２Ａを取り付けた事を特徴とする請求項第１記載の伸縮棒。
【請求項３】
可動筒の先端部に設けられ、可動筒と外筒を任意の長さに固定するための、治具図４−Ｂ−４２でその外側に凹凸４３を設け、外筒の内側に設けた凹凸部図６−６１とのかみ合せで固定したときの保持力を強力にした請求項第１記載の伸縮棒。
【請求項４】
外筒の内面周囲に凹凸を設け請求項第３記載の治具の固定をなお一層強固にするための、凹凸溝、図６−６１を設けたことを特徴とする請求項第１記載の伸縮棒。
【請求項５】
清掃具の柄に用いる請求項第１記載の伸縮棒。
【発明の詳細な説明】
【技術分野】
【０００１】本発明は、清掃具の柄等として用いられる伸縮自在の棒に関する。
【背景技術】
【０００２】
【特許文献１】特開平０７−２２７３２６
【特許文献２】特開平１１−１２３６７２
【特許文献３】特開  ２００４−０１９７７５
【特許文献４】特開  ２００６−１９９０７
【発明の開示】
【発明が解決しようとする課題】
【０００３】従来は筒の外側にネジを設けたり、接合部にナット等を用いて固定する状態で外観的にも構造的にも美観と操作が複雑で、しかも長く伸ばした時に外筒より可動筒が抜けてしまうことも、また、がたつきもあった。本発明はこれらを解決し可動筒先端に設置しかつ誰にでも簡単に止着出来る伸縮棒を提供する。
【課題を解決するための手段】
【０００４】請求項第１記載の本発明は複数の筒状体を伸縮自在に一体化した物で伸長時に外筒から可動筒部が抜け落ちないように、又伸ばした時の外筒と可動筒部のがたつきをなくすためのガイド、図２−１１１を使用した。【０００５】伸縮自在に伸び縮するため任意の長さに固定する必要がある、これを簡単にしたのが固定治具図４  Ａ・Ｂである。【０００６】尚、一層外筒と可動筒部が強固に固定するために図４−Ｂ−４３及び図６・６１に凹凸部を設けた。【０００７】清掃具の柄として伸縮棒を、もちいる事により、高い清掃位置に対しては柄を伸ばし、低い所には柄を縮めることにより清掃作業性を向上し、また保管時にはコンパクトに縮めて収納性を向上できる。
【発明の効果】
【０００８】以上のように本発明によれば伸縮棒の伸ばした時の安定感、固定治具の強力な固定、簡単かつ操作が軽く婦女子に於いても自由に操作できる。
【発明を実施するための最良の形態】
【０００９】図１−１０は第１実施形態の清掃具を示す模式図、図１−１１は清掃具の柄を示す模式図、図３は図２の１１１の断面図、図４・Ａ・Ｂは固定治具を示す分解図、図５は図４が固定された時の模式図、図６は外筒の内面に設けた凹凸の溝の模式図である。
【実施例】
【００１０】清掃具１０は柄１１の先端部に設けた、取り付け穴１２に別付けとして、ホーキ部１３、モップ部１４、はたき部１５，等を取り付けて構成される。【００１１】柄１１は、２本以上の複数本の筒状体、本実施形態では、外筒２１，可動筒２２の２本で構成し伸縮自在としている。筒状態２１〜２２の構成材料は、熱可塑性樹脂、例えば塩化ビニール、ＡＢＳ，ＰＥ，ＰＰ，ＰＥＴ，アルミもしくはその合金製のものでも良い。【００１２】柄１１は、具体的には、図２〜図６に示すように、外筒２１と可動筒２２の接合部の外側に設け外筒２１から可動筒２２が抜け落ちないように、また、伸長時にぐらつかないように固定する、図３−２Ａをもうけた。【００１３】図４は、図４のＡとＢが組み合わさった状態を示す。４１は中心線をずらした成型品でその一端に、４１Ａの突起をもうけてなる、また、４２、一片が切り離された極端な辺肉のリング状ワッパの成形品、その一端に突起  図４−Ｂ−４２Ｂを設けた成型品。【００１４】図４の固定治具、図４−Ａは  可動筒内に接着されており、図４−Ｂ−４２は４１に回転の出来る、状態にはめ込まれ、一片が切り離されたリング状のワッパになっており可動筒２２の内径よりも直径が大きくバネのようにはねあがり、外筒２１の内面に接触する。この状態で可動筒を少し回すと、図４−Ａ−４１Ａの突起と、図４−Ｂ−４２Ｂ突起が接触し回転が出来なくなる、このときに４１の中心線をずらした成型品と、４２のリング状の成形品で極端な辺肉構造のため、可動筒２２を回すと、図４−Ｂ−４２のリング状ワッパ成形品が外側へ開く状態になり、外筒２１に強固に固着する。【００１５】この固着をなお一層強固にするために、成型品図４−Ｂ−４２のリング状の表面に凹凸部、図４−Ｂ−４３を設けた。【００１６】また、この固着をなお一層  完全なものにするために外筒２１の内面にも凹凸のある溝、図６−６１をもうけた。【００１７】以上、本発明の実施の形態を図面により詳述したが、本発明の具体的な構造はこの実施の形態に限られるものではなく、本発明の要旨を逸脱しない範囲の設計の変更等があっても本発明に含まれる。例えば、可動筒と外筒の２本に限らず３本もしくは４本以上の筒状体からなるものであっても良い。
【産業上の利用可能性】
【００１８】以上のように本発明は、伸縮棒の伸縮時に  複数の筒状体をがたつかせずに軽い力で、任意の長さに固定できる。
【図面の簡単な説明】
【図１】図１は第一実施形態の清掃具を示す模式図である。
【図２】図２は清掃具の柄を示す模式図である。
【図３】図３は図２の１１１の断面図である。
【図４】図４は固定治具、図４−Ａ・Ｂの組み立て図である。
【図５】図５は図４が柄１１に固定された時の模式図である。
【図６】図６は外筒の内面に設けた凹凸の溝の模式図である。
【符号の説明】
１０  清掃具
１１  柄（伸縮棒）
１２  取り付け穴
２１  外筒
２２  可動筒
４１  可動筒に固定する治具
４１Ａ  固定治具に設けた突起
４２  ４１固定治具にはめ込むワッパ
４２Ｂ  ワッパに設けた突起
４３  ワッパに設けた凹凸
６１  外筒の内面凹凸
【図１】
2008200840.tif 000003
【図２】
2008200840.tif 000004
【図３】
2008200840.tif 000005
【図４】
2008200840.tif 000006
【図５】
2008200840.tif 000007
【図６】
2008200840.tif 000008
(57)【要約】【課題】  フォークが大きな平面状の搬送物を搬送する際、他の積み重ねた搬送物を破損させることが無く、しかも簡単な板金構造でバネの要素のあるフォーク先端に装着するバンパーを提供すること。【解決手段】  搬送ロボット等のアームに取り付けられた搬送物を載せるフォーク状ハンド先端に装着した緩衝用のバンパーにおいて、フォーク状ハンドの搬送物に対する進行方向に少なくとも１以上の折り曲げ部の有る板状の構造物であることを特徴とするフォーク状ハンド先端に装着した緩衝用のバンパーとした。【選択図】        図１
2008200837.tif 000002
【特許請求の範囲】
【請求項１】
搬送ロボット等のアームに取り付けられた搬送物を載せるフォーク状ハンド先端に装着した緩衝用のバンパーであって、
前記フォーク状ハンド先端に装着した緩衝用のバンパーは、前記フォーク状ハンドの搬送物に対する進行方向に、少なくとも１以上の折り曲げ部の有る板状の構造物を備えていること、
を特徴とするフォーク状ハンド先端に装着した緩衝用のバンパー。
【請求項２】
前記折り曲げ部に換えて、円弧状のカーブとしたことを特徴とする請求項１記載のフォーク状ハンド先端に装着した緩衝用のバンパー。
【発明の詳細な説明】
【技術分野】
【０００１】
本発明は、搬送装置または搬送用の産業用ロボット装置等に関し、より一層詳細には、それらの装置において使用されるフォーク状ハンド（以下フォークという）の先端に装着した緩衝用のバンパーに関する。
【背景技術】
【０００２】
ガラス板や液晶ガラス基板等の大きな平面状の搬送物を多数積み重ねて収容してある搬送物の置き場から、搬送装置あるいは産業用ロボット等を使用し、その装置に搭載された上下左右に回転あるいは移動可能なフォークにより、これらの搬送物を搬送する際、フォーク先端が多数個積み重ねた搬送物と衝突し、当該搬送物以外の他の積み重ねた搬送物を破損させることを防止するため図５に示すようなフォークの先端にこのフォークの搬送物に対する進行方向に「コ」の字形状をした板状の構造物のバンパーが取り付けられていた。
また、搬送装置の一種であるフォークリフトにおいては、例えば特開２００４−０２６４４６号公報に開示されるような熱収縮性材料を使用して、搬送物のずれや落下を防止して、搬送物の破損を防止する技術が知られている。
【特許文献１】特開２００４−０２６４４６号公報
【発明の開示】
【発明が解決しようとする課題】
【０００３】
しかしながら、前述の「コ」の字形状をした板状の構造物のバンパー１では、衝突面２上の衝突個所により剛性が異なり搬送物やフォークを破損させた。
即ち、フォークの進行方向に対し垂直に板３が繋がっている側（矢印Ａ）は板３の無い他の側（矢印Ｂ）に比べ剛性が強く、搬送物やフォークを破損させることもあった。さらに、前述の公報に開示された技術では、フォーク先端と搬送物の衝突から発生する搬送物の破損防止は、困難であった。
【０００４】
そこでさらに「コ」の字形状を構成する板自身を薄くし、衝突の衝撃を抑えることもあるが、この場合、バンパー自身が衝突により簡単に破損してしまい、バネとしての機能の要素が乏しく、エネルギーの吸収が不十分であり、衝突を感知するセンサーの感度や保護等に影響した。さらにこれに代わりスプリングや可動機構としたバンパーとした場合、機構が複雑で、製品価格も高価になってしまうという欠点もあった。
【０００５】
本発明の目的は、搬送装置のフォークを使用して液晶ガラス基板のような大きな平面状の搬送物を搬送する際、他の積み重ねた搬送物の破損を抑制し、しかも簡単な構造によるバネの要素を持つフォーク先端に装着するバンパーを提供することにある。
【課題を解決するための手段】
【０００６】
前述の目的を達成するため、本発明は、搬送ロボット等のアームに取り付けられた搬送物を載せるフォーク状ハンド先端に装着した緩衝用のバンパーであって、前記フォークの搬送物に対する進行方向に少なくとも１以上の折り曲げ部の有る板状の構造物を備えたことを特徴とするフォーク先端に装着した緩衝用のバンパーとした。
【０００７】
また前述バンパーは、折り曲げ部に換えて円弧状のカーブとしても好都合である。
【発明の効果】
【０００８】
この発明のバンパーによれば、バンパーにバネの要素を取り込むことができ、剛性の調整ができるので、他の搬送物を破損させることが抑えられる。
【発明を実施するための最良の形態】
【０００９】
次に本発明の一実施形態を図１により説明する。図１（イ）は、本実施形態例のバンパーの正面図、（ロ）はその側面図である。図で、符号１０はバンパーであって、フォーク１１の先端に取り付けられた板状の構造物となっている。このバンパー１０は、搬送物との衝突面１２を有し、フォーク１１の進行方向（矢印Ｃ方向）に対し、衝撃を緩和する折り曲げ部ａを有する板状の構造物１３を有して成り、フォーク１１の進退運動に伴い、フォーク１１とともに移動する。
【００１０】
ここで前述のようなバンパー１０の折り曲げ部ａに換えて、図２に示すように（図２、図３、図４では、正面を省略し、側面図のみ示す。）円弧状のカーブｂとした板状の構造物１４を有するバンパー１５としても良い。
また、図１に示した折り曲げ部ａまたは図２に示した円弧状のカーブを有するバンパー１０あるいはバンパー１５に換えて、図３（イ）あるいは図３（ロ）に示すように、断面形状がＺ字状の板状構造物１６もしくはＳ字状の板状構造物１７のバンパー１８もしくはバンパー１９としても良い。
さらにまた図４（イ）、図４（ロ）に示すように、折り曲げ部ａ或いは円弧状のカーブｂが複数個有る板状の構造物のバンパー２０、２１であっても何等さしつかえない。
【００１１】
このようにフォーク先端に取り付けるバンパーは、板金または溶接などで実現できる簡単な構造であり、しかもバネ要素が実現できる。
【００１２】
上述のような構成にしたので、フォークが搬送物と接触した際に緩衝効果が高く、従って、搬送物の破損を防止できる形状構造を実現できる。
【図面の簡単な説明】
【００１３】
【図１】この発明が適用される一実施形態例を示すバンパーの概要図であって、（イ）は、その正面図、（ロ）は、その側面図である。
【図２】この発明が適用される他の実施形態を示すバンパーの概要図であって、側面図である。
【図３】この発明が適用されるさらに他の実施形態を示すバンパーの概要図で、（イ）は、折り曲げ部、（ロ）は、円弧状のカーブを有する板状の構造物を持つバンパーを示す側面図である。
【図４】この発明が適用されるさらに他の実施形態を示すバンパーの概要図であって、（イ）は、複数の折り曲げ部、（ロ）は、複数の円弧状のカーブを有する板状の構造物を持つバンパーの側面図である。
【図５】従来のコの字形状のバンパーの概要図であり、側面図である。
【符号の説明】
【００１４】
１０、１５、１８、１９、２０、２１    バンパー
１１  フォーク
１２  衝突面
１３  折り曲げ部を有する板状の構造物
１４  円弧状のカーブとした板状の構造物
１６  Ｚ字状の板状構造物
１７  Ｓ字状の板状構造物
【図１】
2008200837.tif 000003
【図２】
2008200837.tif 000004
【図３】
2008200837.tif 000005
【図４】
2008200837.tif 000006
【図５】
2008200837.tif 000007
(57)【要約】【課題】従来は釘を抜いて板を外すか、バールで跳ねて外しますが板の破損やバールの滑りで素人には危険なので操作が簡単で安全なバールの提供。【解決手段】図１は（Ｂ）の付いた一般のバール（釘抜き）としても使用できる考案である。図２は板の破損を解決するため面で接するよう（Ｃ）で回転する（Ｄ）を付け（Ｄ）の回転を止めることでバールの力が変化するように（Ｅ）を付けた考案である。このバールは最初に（ロ）が持ち上がり（Ｄ）が（Ｅ）に接すると（Ｅ）に押されて（イ）が持ち上がる構造である。（イ）（ロ）が交互に持ち上げるので釘が緩みバールを引く力も軽減された。【選択図】図１
2008200841.tif 000002
【特許請求の範囲】
【請求項１】
根太に乗せて安定した支点を確保するための突起（Ｂ）の付いたバール（釘抜き）。
【請求項２】
板に面で接するためのプレート（Ｄ）と、プレート止め（Ｅ）を付けたバール。
【発明の詳細な説明】
【技術分野】
【０００１】バールの使い方に熟練を要せずに突起（Ｂ）を根太に置いてバールを引くだけの操作で板が外せる。根太の解体にも同じように大引に置いて引くだけで外せる。面で板に接するので破損が少なく安全である。交互に力が働くので釘が緩み一般のバールより引く力が小さくてすむ。
【背景技術】
【０００２】一般のバールは力を要する上、バールの滑りや先端で板が破損して飛び跳ねる危険があるので非力な素人でも安全に操作できるバールを探したが市場には見当たらなかった。
【発明の開示】
【発明が解決しようとする課題】
【０００３】従来は釘を抜いて板を外すか、バールで跳ねて外しますが板の破損やバールの滑りで素人には危険なので操作が簡単で安全なバールの提供。
【課題を解決するための手段】
【０００４】図１は（Ｂ）の付いた一般のバール（釘抜き）としても使用できる考案である。
図２は板の破損を解決するため面で接するよう（Ｃ）で回転する（Ｄ）を付け（Ｄ）の回転を止めることでバールの力が変化するように（Ｅ）を付けた考案である。このバールは最初に（ロ）が持ち上がり（Ｄ）が（Ｅ）に接すると（Ｅ）に押されて（イ）が持ち上がる構造である。（イ）（ロ）が交互に持ち上げるので釘が緩みバールを引く力も軽減された。
【発明の効果】
【０００５】労力が軽減し、安全性、操作性が向上し、板の破損が減少した。
【実施例１】
【０００６】板の破損が少ないの再利用の向上、片付作業の軽減になった。
図２のバールで角材にも使用可能だった。
【図面の簡単な説明】
【０００７】
【図１】本考案の姿図である。
【図２】本考案の動作図概要である。
【符号の説明】
【０００８】  Ａ  バール本体
Ｂ  突起
Ｃ  プレートと本体を繋ぐピン（ボルトでも良い）
Ｄ  プレート
Ｅ  プレート止め
イ  プレートの先端を示す
ロ  プレートの先端を示す
【図１】
2008200841.tif 000003
【図２】
2008200841.tif 000004
(57)【要約】【課題】  本発明はやかんの口の上に乗っている錘が蒸気で持ち上げられ細かく上下することでやかんの口をコツコツ叩き、沸騰を知らせるやかんの吹き鳴らし具を提供する。【解決手段】  やかんの口に蒸気によって押し上げられるおもりを置き、お湯が沸くと蒸気に押し上げられ、それが落ちてくる時にやかんの口の台にぶつかり、コツコツ音を立てて沸騰を知らせることを特徴とする沸騰を知らせるやかん吹き鳴らし具。【選択図】図１
2008200448.tif 000002
【特許請求の範囲】
【請求項１】
重りと、任意のやかんの注ぎ口に取り付けることが出来るやかん接続具と、前記重りとやかん接続具を連結する連結部より構成され、やかん内の水が沸騰した際に注ぎ口から放出される蒸気により重りが連結部を介してしゅう動、回動等の反復運動をすることを特徴とするやかん吹き鳴らし具。
【請求項２】
任意のやかんであって、やかんの注ぎ口に設けられた、蒸気穴を有するふた体と、ふたに設けられた連結部と、連結部によって連結された重りより構成され、やかん内の水が沸騰した際に注ぎ口から放出される蒸気により重りが連結部を介してしゅう動、回動等の反復運動をすることを特徴とするやかん。
【請求項３】
重りの外観がキャラクター、動物等の形状であることを特徴とする請求項１または２記載のやかん吹き鳴らし具及びやかん。
【発明の詳細な説明】
【技術の分野】
【０００１】  本発明はやかんの口の上に乗っている錘が蒸気で持ち上げられ細かく上下することでやかんの口をコツコツ叩き、沸騰を知らせるやかんの吹き鳴らし具に関するもである。
【背景技術】
【０００２】  従来は、お湯が沸いたときには蒸気で大きな笛の音をピーピーならし沸騰していることを知らせていた。
【発明の開示】
【発明が解決しようとする課題】
【０００３】  そのために次のような問題点があった。
（イ）音が大きいので、子供が寝ている時や深夜などに使用し難かった。
（ロ）沸騰を知らせることだけを目的にしていたので、楽しさがなかった。
本発明は以上の問題点を解決するためになされたものである。
【課題を解決するための手段】
【０００４】  重りと、任意のやかんの注ぎ口に取り付けることが出来るやかん接続具と、前記重りとやかん接続具を連結する連結部より構成され、やかん内の水が沸騰した際に注ぎ口から放出される蒸気により重りが連結部を介してしゅう動、回動等の反復運動をすることを特徴とするやかん吹き鳴らし具。
【発明の効果】
【０００５】  優しいコンコンという音で沸騰を確認することができる。そのため、子供のお昼寝を起こしてしまうことや、深夜に使用しても迷惑をかけることがない。また、来客時にも大きな音で会話を中断してしまう事無くお湯が沸かせる。
また麦茶のパックを入れて、数分煮立たせる必要がある場合等にも、心地良い音なので、やかん吹き鳴らし具をつけたまま煮る事ができる。
更に、おもりをキツツキの様なかわいい形にすると鳩時計の時報待ちに近い楽しさが加わる。
やかんをかわいい形にすると、単なるお湯沸し具ではなくやかんをインテリア感覚で台所に置いておくことができる。
【発明を実施するための最良の形態】
【０００６】以下、本発明の第一の実施の形態について説明する。
（イ）やかんの口（６）に取り付けられる接続具（２）に蒸気穴（１）を設ける。接続具（２）はやかんの口（６）に挿入し取り付けられる形状である。接続具（２）は重り（４）が当たり音がでるよう金物、プラスチック、陶器等が望ましい。また、やかんの口（６）に挿入する部分は、どんなやかんの口（６）にでも挿入できるように傾斜が設けられていることが望ましい。
（ロ）接続具（２）に折り畳めるようなくの字型の連結部（３）を設ける。
（ハ）連結部（３）の先に重り（４）をつけ、蒸気の出ていない状態の時には蒸気穴（１）をふさぐように取り付ける。
（ニ）水が沸騰すると、内部の蒸気の圧力が高くなり、重り（４）が持ち上げられ、蒸気穴（１）より蒸気が放出される。持ち上げられた重り（４）は連結部（３）の支点を介して反復運動し、重り（４）が接続具（２）にぶつかり音を鳴らす。
本発明は以上のような構造で、これを使用する時は、やかん吹き鳴らし具をやかんの口（６）に差込みやかんを火にかける。沸騰して蒸気が出ると重り（４）が持ち上げられ蒸気がもれるとまたその重り（４）が下がり接続具（２）を叩く。この繰り返しによりコンコンと音がなり沸騰を知らせることができる。【０００７】  前記重り（４）をキツツキの形状にして、くちばしで蒸気穴（１）をふさぐと、キツツキがくちばしで木を叩くような動きになる。
また、重り（４）を杵をもったウサギの形状にし、接続具（２）を臼の形状にする。杵で蒸気穴（１）をふさぐと、ウサギが杵で臼を叩くような動きになる。
重り（４）の形状をトンカチを持った小人のようにしても、うさぎの場合と同様の動きになる。【０００８】本発明の第２の実施形態を説明する。
前記実施の形態と主に異なる点は、接続具（２）の天面に棒状の連結部（３）を設ける。
重り（４）には前記連結部（３）を挿入するための連結穴（８）を設ける。連結部（３）の先端には重り（４）が脱落しないようストッパー（７）が設けられている。また、重り（４）をもぐらの形状にし、接続具（２）を大地にする。重り（４）が持ち上げられるともぐらが大地から顔をだすような動きになる【０００９】本発明の第３の実施の形態について説明する。
任意のやかんの口（６）にふた体（５）を設ける。ふた体（５）には蒸気穴（１）が開けられている。ふた体（５）はやかんの口（６）と支点（９）を介して回動するように設けられており、湯を注ぐ時にはふた体（５）を回動させ、やかんの口（６）を開放する。前記ふた体（５）には折り畳み自在の連結部（３）を設け、連結部（３）の先端に重り（４）を設ける。重り（４）は蒸気穴（１）をふさぐように設ける。
【図面の簡単な説明】
【００１０】
【図１】本発明第１の実施の形態の斜視図
【図２】本発明第２の実施の形態の斜視図
【図３】本発明の第３の実施の形態の斜視図
【図４】本発明の使用状態を示す斜視図
【符号の説明】
【００１１】  １  蒸気穴
２  接続具
３  連結部
４  重り
５  ふた体
６  やかんの口
７  ストッパー
８  連結穴
９  支点
【図１】
2008200448.tif 000003
【図２】
2008200448.tif 000004
【図３】
2008200448.tif 000005
【図４】
2008200448.tif 000006
(57)【要約】【課題】本発明は塩、コショウ、粉チーズ等のふたの下にサンバイザーをつけて、調味料をかけるときに蒸気が容器の中や振り出し口にかからない様にするための調味料容器用蒸気避けを提供する。【解決手段】  容器に巻きつくようにバネの効いたバンドにサンバイザーの日よけ部分を設け、蒸気が振り出し口にかからないようにする調味料容器用蒸気避け。【選択図】図１
2008200449.tif 000002
【特許請求の範囲】
【請求項１】
塩、コショウ、粉チーズ等の容器に着脱自在に取り付けることができる取付部と、前記容器の調味料を扱り出し口に蒸気がかかることを防止できる突出部より構成される調味料容器用蒸気避け具。
【請求項２】
任意の調味料用の容器であって、該容器の調味料振り出し口に蒸気がかかることを防止できる突出部を設けたことを特徴とする調味料容器。
【発明の詳細な説明】
【技術の分野】
【０００１】  本発明は塩、コショウ、粉チーズ等のふたの下に蒸気避け具をつけて、調味料をかけるときに蒸気が容器の中や振り出し口にかからない様にするための調味料容器用蒸気避けに関するものである。
【背景技術】
【０００２】  従来は、容器に直接蒸気があたってしまっていた。
【発明の開示】
【発明が解決しようとする課題】
【０００３】  そのために次のような問題点があった。（イ）蒸気で調味料がかたまり振り出し穴が塞がれてしまっていた。（ロ）蒸気が容器の中に入り込み、粉状のものが大きな塊になってしまい振っても出なくなってしまっていた。本発明は以上の問題点を解決するためになされたものである。
【課題を解決するための手段】
【０００４】  塩、コショウ、粉チーズ等の容器に着脱自在に取り付けることができる取付部と、前記容器の調味料を振り出し口に蒸気がかかることを防止できる突出部より構成される調味料容器用蒸気避け具。  及び、任意の調味料用の容器であって、該容器の調味料振り出し口に蒸気がかかることを防止できる突出部を設けたことを特徴とする調味料容器。
【発明の効果】
【０００５】  突出部で蒸気をよけることができるので、振り出し穴で調味料がかたまりふさぐことがない。  また、蒸気が容器の中に入り込まないので、大きな塊ができずスムーズに振り出すことができる。  着脱が簡単で、樹脂等の材質でできているため洗浄も楽。  バンドで挟むので様々な大きさの調味料容器に使用できる。
【発明を実施するための最良の形態】
【０００６】以下、本発明の実施の形態について説明する。  容器（５）に巻きつく板バネのような弾性体によりなるバンド（１）にサンバイザーの日よけのような形状の突出部（２）を設ける。突出部（２）はポリプロピレン等の樹脂が望ましい。バンド（１）の形状は容器（５）に巻きつけられるよう湾曲している。  本発明は以上のような構造で、これを使用する時は突出部（２）を振り出し口（６）の位置付近に配置するようにバンド（１）を容器（５）の上部にはめ、蒸気が容器（５）の振り出し口（６）にかからないようにする。【０００７】本発明の第２の実施の形態を説明する。  前記実施の形態と主に異なる点は、取付部をピンチのように支点（３）を軸にして回動する狭持具（４）にした点である。【０００８】本発明の第３の実施の形態を説明する。  前記実施の形態と主に異なる点は、突出部（２）とバンド（１）が樹脂で一体形成されている点である。この場合、バンド（１）の弾性力により容器（５）を挟持し取り付ける。【０００９】本発明の第４の実施の形態を説明する。  塩、コショウ等の調味料を入れることができる容器（５）の天面に複数の小さな振り出し口（６）を設ける。前記振り出し口（６）付近にサンバイザーの日よけのような形状の突出部（２）を設ける。前期突出部（２）は容器（５）と一体成型されており、材質は樹脂等が望ましい。
【図面の簡単な説明】
【００１０】
【図１】本発明の第１の実施の形態の斜視図
【図２】調味料容器に取り付けた状態を示す斜視図
【図３】本発明の第２の実施の形態の斜視図
【図４】本発明の第４の実施の形態の斜視図
【図５】本発明の使用状態を示す斜視図
【符号の説明】
【００１１】１  バンド２  突出部３  支点４  挟持具５  容器６  振り出し口
【図１】
2008200449.tif 000003
【図２】
2008200449.tif 000004
【図３】
2008200449.tif 000005
【図４】
2008200449.tif 000006
【図５】
2008200449.tif 000007
(57)【要約】【課題】使いすてカイロつき経皮鎮痛消炎外用絆創膏。【解決手段】経皮鎮痛消炎外用絆創膏（１）の薬剤塗布面の裏面に使いすてカイロ（２）を接着し、絆創膏の薬剤塗布面には薬剤保護用塩化ビニール製被膜（３）を貼付してなるものである。使用時は薬剤面保護用塩化ビニール製被膜をはぎとり、患部の皮膚の上に絆創膏を貼ると絆創膏に接着した使いすてカイロが発熱し、経皮鎮痛消炎外用絆創膏の上から皮膚を温める。【選択図】図１
2008200450.tif 000002
【特許請求の範囲】
【請求項１】
経皮鎮痛消炎外用絆創膏（１）の薬剤塗布面の裏面に使いすてカイロ（２）を接着し、薬剤塗布面に薬剤面保護用塩化ビニール製被膜（３）を貼り付けてなる経皮鎮痛消炎外用絆創膏の構造。
【発明の詳細な説明】
【技術の分野】
【０００１】    本発明は、経皮鎮痛消炎外用絆創膏に外部から適温の温熱効果をあたえるものである。
【背景技術】
【０００２】    経皮鎮痛消炎外用絆創膏は傷む患部の皮膚の表面に貼り、鎮痛消炎効果を求めるものである。絆創膏貼付時皮膚の表面を冷やす場合と芥子など温熱効果のある薬剤を鎮静剤に混ぜ絆創膏に塗布して皮膚の表面を温める方式がある。鎮静剤に芥子等の発熱物質を混ぜて皮膚を温める方式は皮膚の弱い人には皮膚が赤くなったり、ただれたり、かぶれたりして皮膚を傷める等の欠点があった。
【発明の開示】
【発明が解決しようとする課題】
【０００３】    本案は経皮鎮痛消炎外用絆創膏を温める場合、絆創膏を患部に貼ると同時に絆創膏に接着してなる使いすてカイロが作用して発熱し、経皮鎮痛消炎外用絆創膏の上から皮膚を温めるように考案した。
【課題を解決するための手段】
【０００４】    本案は経皮鎮痛消炎外用絆創膏（１）の薬剤塗布面の裏面に使いすてカイロ（２）をあらかじめ接着して構成する。経皮鎮痛消炎外用絆創膏の薬剤塗布面には薬剤保護用塩化ビニール製被膜（３）を貼り付けてなるものである。
【発明の効果】
【０００５】    従来の薬剤に芥子等を混入して温熱効果を与える経皮鎮痛消炎外用絆創膏の製品は皮膚が弱い体質の人には皮膚が赤くなったり、ただれたり、かぶれたりして皮膚を傷めることが多い。芥子などの発熱剤を混入しない経皮鎮痛消炎外用絆創膏であっても、本案の使いすてカイロ（２）つき経皮鎮痛消炎外用絆創膏（１）はあらかじめ絆創膏の薬剤塗布面の裏面に使いすてカイロを接着してあるので、使用時は薬剤塗布面保護用塩化ビニール製被膜（３）をはぎとり、患部の皮膚の上に絆創膏を貼れば同時に使いすてカイロが発熱して患部を温めるもので、芥子等の薬品による刺激から皮膚を護ることができ、皮膚が弱い人であっても安全に、鎮痛消炎剤と温熱による治療効果を得ることが出来る。
【図面の簡単な説明】
【０００９】
【図１】本発明の斜視図
【符号の説明】
【００１０】      １  経皮鎮痛消炎外用絆創膏
２  使いすてカイロ
３  薬剤塗布面保護用塩化ビニール製被膜
【図１】
2008200450.tif 000003
(57)【要約】【課題】  従来いびきや無呼吸を感知して本人に知らしめる簡便な、他人に頼らない適切な方法がなかった。時間的なアラームや、感音センサーはあるものの、それらが適切に組み合わされていなかったため、睡眠中のいびきや無呼吸などの問題状況が発生していることを本人に知らせることができなかった。【解決手段】  睡眠中の本人の出す音を吸音分析し、設定された問題状況の発生であると認知した場合は、アラーム（音・声・音楽・振動・照明等）を起動させることによって、本人に、いびきや無呼吸等の問題が発生中であることを知らしめ、睡眠体勢等の改善を促すことができるので、睡眠中のいびきや無呼吸等の問題状態の解決ができる。また、もって、本人の健康維持と周囲への迷惑騒音防止に資するものである。【選択図】図１
2008200447.tif 000002
【特許請求の範囲】
【請求項１】
いびきの音を感知して、アラームの警音（音・声・音楽）もしくは、アラーム振動、または、アラームの照明の点灯を起こす仕組みを持つ装置。
【請求項２】
睡眠中の人の出す音を収集、記憶、分析し、いびきのみならず、うなり声、無呼吸などの状態を判定をし、それに応じたアラーム音や振動を発する仕組みを持つ装置、または、そのソフト。
【請求項３】
睡眠中の人の出す音を収集、記憶、分析し、いびきのみならず、うなり声、無呼吸などの状態を判定をし、それに応じた情報を、離れたところに伝達、もしくは、通信する装置。
【発明の詳細な説明】
【技術分野】
【０００１】      本発明は、睡眠時に問題ある呼吸状態になった時に、それを感知して、本人または、他人に知らせる装置である。
【背景技術】
【０００２】      従来のアラーム（目覚まし）は、時間を設定して目を覚ますものでる。また、外部の音に反応して、アラーム警音を発生させるという警備用のセンサー付き装置もある。いびきや無呼吸は、そばで寝ている他人には、良く聞こえるが、寝ている本人は自分ではなかなか気がつかないものである。
【発明の開示】
【発明が解決しようとする課題】
【０００３】      いびきや無呼吸になっている本人は、そのような問題状態になっていると分れば、本人の健康上も、周りへの迷惑からも、一旦、起きて、体勢を変えるなどのいびきや無呼吸の、中止や抑制に留意することができるが、実際は、自分のいびきや無呼吸は自分では認知されないから、そのような改善行動がとれない。
また、時間的にその状態がいつ起きるのかを予測できれば、時間設定式のアラームでも解決できるが、いつそのような問題状態になるかは予測できない。
また、音がすればアラームが起動する単純な方式では、いびきや無呼吸以外の物音や外部の例えば自動車の音に反応してしまう。【０００４】      本発明は、このような問題点を解決しようとするものであり、いびきや無呼吸の状態になった本人に、そうなった時だけ、それを知らしめ、もって、健康なる睡眠を確保することを目的とするものである。
【課題を解決するための手段】
【０００５】      そして、本発明は上記目的を達成するために、小型吸音マイク、記憶装置、波形分析装置、アラーム起動装置を組み合わせて、いびきアラーム装置とするものである。【０００６】      小型マイク、記憶装置、および、アラーム発生装置は、すでに、市販の携帯電話の中にあるので、問題状態の設定・分析ソフトを、携帯電話に組み込むことにより、簡便に携帯電話のアラーム機能を活用して、本人に、アラーム音（音・声・音楽）もしくは、アラーム振動を発生させ知らせることができる。
【発明の効果】
【０００７】      上述したように、本発明のいびきアラーム装置は、睡眠中の問題がある状況を認知し、それを本人に通知、アラームすることにより、いびきや無呼吸などの問題の改善に役立つ。
【発明を実施するための最良の形態】
【０００８】      以下、本発明の実施形態を図１に基づいて説明する。【０００９】      図において、１は、いびき等の音を吸音するマイク。２は、感度設定（間隔・大きさ・高さ・頻度・繰り返し度等）や、アラームの種類（音・声・音楽・振動・照明）などを選択する画面、３は、それらを設定するボタン類、４は、スピーカー、５は振動する躯体および、いびき等の問題状態を分析するソフトの入った本体。図は、携帯電話の本体を使ったものであるが、問題の睡眠状態を認定したら、それを他所に伝達しても良い。または、もっと、大きな振動をする枕等に埋め込んだ装置を起動させても良い。
【図面の簡単な説明】
【００１０】
【図１】  本発明の実施形態を示す携帯電話に組み込んだいびきアラーム装置。
【符号の説明】
【００１１】      １  吸音マイク
２  設定状況表示画面
３  設定操作ボタン
４  本体裏面のスピーカー
５  本体（振動躯体・認定ソフト）
【図１】
2008200447.tif 000003
(57)【要約】【課題】  花束容器に香りを嗅ぐ窓を設け、送風機で短時間に香りを楽しむ花束容器を提供する。【解決手段】  花束容器本体に、香りを嗅ぐ窓を設けた、本体下の部分にスクリュウ螺子を設け、送風機をねじ込み、花束容器本体下の部分から空気を送り込み、花束容器本体内を通り、香りを嗅ぐ窓に、空気を放出させ、空気放出口を付けたことを特徴とする、送風機付き花束容器である。【選択図】図５
2008200451.tif 000002
【特許請求の範囲】
【請求項１】
円粋形容器の、下の部分にスクリュウ螺子を設け、着脱自在に、送風機の取り付けが出来、花束容器本体に、香りを嗅ぐ窓を設けたことを特徴とする送風機付き花束容器。
【発明の詳細な説明】
【技術分野】
【０００１】  本発明は、四季折々の花、果実など自然の香りを短時間により多く楽しむ事が出きる送風機付き花束容器に関するもである。
【背景技術】
【０００２】  従来は、着脱自在の送風機付き花束容器はなかった。
【発明の開示】
【発明が解決しょうとする課題】
【０００３】  花束贈呈式で、花束を受取った時点で、自然の花の香りを鼻で味わうためには時間が掛かり、行事の進行が優先されるために、間に合わなかった。
本発明は、この課題を解消するためになされるものである。
【課題を解決するための手段】
【０００４】  花束容器本体１に、２の香りを嗅ぐ窓と下の部分に、３のスクリュウ螺子を設け、１１の送風機をねじ込み、花束容器本体下の部分にから、空気を送り込み、花束容器内を通り、２の香りを嗅ぐ窓と、７の上部空気放出口に放出させる。以上を特徴とする花束容器である。
【発明の効果】
【０００５】  花束贈呈式で受け取った時点で四季折々の花の香りを短時間に、味わうことが出来て、行事の進行を妨げない。
【発明を実施するための最良の形態】
【０００６】    以下、本発明の実施の形態について説明する。
（イ）花束容器本体１はプラスチックで造られており、外部から中が見える要にした、円粋形の容器は、花束出し入れ時には左右に開閉するための、６の折り曲げ筋目が造られており、閉じる際４の本体蓋止め鉤を、５の本体蓋止め鉤押えで閉じるようにした。
（ロ）花束容器本体１には、２の香りを嗅ぐ窓が設けており、上部７の空気放出口と２の香りを嗅ぐ窓にも、空気を放出させるための、送風機取リ付け要のスクリュウ螺子３が設けられている。
（ハ）花束容器本体１の内部には、花束を入れた時に空気の流れをさえぎらないための内部突起物８が有り、内部下の部分には９の中仕切りを造り風機の羽の部分を保護した、１０の中仕切穴を空気が流れ様うにした送風機付き花束容器にした。
【図面の簡単な説明】
【０００７】
【図１】  本発明の正面図である。
【図２】  本発明の平面図である。
【図３】  本発明の内部を示す説明図である。
【図４】  本発明の底面図である。
【図５】  本発明の使用状態を示す正面図である。
【符号の説明】
【０００８】  １  花束容器本体
２  香りを嗅ぐ窓
３  スクリュウ螺子
４  本体蓋止め鉤
５  本体蓋止め鉤押え
６  折り曲げ筋目
７  上部空気穴放出口
８  内部突起物
９  中仕切
１０  中仕切穴
１１  送風機本体
【図１】
2008200451.tif 000003
【図２】
2008200451.tif 000004
【図３】
2008200451.tif 000005
【図４】
2008200451.tif 000006
【図５】
2008200451.tif 000007
(57)【要約】【課題】この発明は電気器具を使わず簡単なウォームビズ用品です【解決の手段】クッションとひざ掛けを合体したみのむし形態の足の保温用品です【選択図】図１
2008200460.tif 000002
【特許請求の範囲】
【請求項１】
クッションとひざ掛けを組み合わせ、つま先からふくらはぎの裏まで包み込み、長時間座っていてもズレることなく、かさばらずに収納できる便利な足保温用品
【発明の詳細な説明】
【技術分野】
【０００１】この発明は椅子に座った時の、足の保温に関するものである。
【背景技術】
【０００２】椅子に座って作業の時、足元には暖房も届かずつま先から足全体が冷えてくる。またひざ掛けをしていてもズレ落ちたり、時折立ったりするときひざ掛けは置き場がなく邪魔になる
【発明の開示】
【発明が解決しようとする課題】
【０００３】従来はひざ掛けなどを使用していたが、ズレたり、つま先やふくらはぎの裏の方は巻きにくく、寒かった。
収納が不便で見かけも良くなかった。
本発明は、以上の問題点を解決したものである。
【課題を解決するための手段】
【０００４】ずれ・・・クッションにつなげることによりお尻で押さえる
つま先・裏側の保温・・・布を巻きつけることにより外気の遮断
収納・・・椅子を離れるときは、まるめてクッションの中に入れる
【発明の効果】
【０００５】座って足を入れるだけでとても暖かくなります。電気の必要も無くウオームビズである湯たんぽなども併用できる。ファスナー又はマジックテープを開けるだけで出入りも簡単です
【発明を実施するための最良の形態】
【０００６】クッションに筒状の毛布（みのむし状態）を付け片方はファスナー又はマジックテープなどで開閉できるようにしておく
使用方法  椅子につけたクッションよりケットを取り出しファスナー又はマジックテープを開け、
足をケットの中に入れ、ファスナー又はマジックテープを閉じると膝下がすっぽりくるまり暖かです。使用後はケット部分をクッションの中に詰めて収納します。収納したままでクッションとして使用できます。
【図面の簡単な説明】
【０００７】
【図１】本発明の全体図
【図２】本発明の分解図
【図３】本発明の収納図
【符号の説明】
【０００８】▲１▼クッション  ▲２▼毛布内側  ▲３▼毛布外側  ▲４▼ファスナー又はマジックテープ  クッションと毛布の赤線部＝縫いつけ場所
【図１】
2008200460.tif 000003
【図２】
2008200460.tif 000004
【図３】
2008200460.tif 000005
(57)【要約】      （修正有）【課題】  シューズの中で足が遊んでしまい、足の能力をロスなく充分に発揮できないことを解決すること。【解決手段】  シューズ１の中に足の指を固定する為のゴム製、布製、皮製のバンド２を取り付けることにより、この課題を解決する。また、シューズ１のかかとの部分にゴム製、布製、皮製の足首を固定するバンドを取り付けることにより、この課題を解決する。シューズと足の一体化により足の能力がロスなくシューズに伝えることが出来る。【選択図】図１
2008200458.tif 000002
【特許請求の範囲】
【請求項１】
シューズと足が一体化できるバンド。
【発明の詳細な説明】
【技術分野】
【００１】  本発明は、シューズと足が一体になることを望んでいる人に提供するシューズのパーツです。
【背景技術】
【００２】  従来のシューズは、シューズと足の固定をシューズの甲の部分で紐を結びシューズと足を固定するものであった。
【発明の開示】
【発明が解決しようとする課題】
【００３】  本発明は、シューズと足を固定するところが、シューズの甲の部分しかない為シューズの中で足が遊んでしまい、足の能力をロスなく充分に発揮出来ないことを解決することを課題とする。
【課題を解決するための手段】
【００４】  この課題を解決するための請求項１の発明は、シューズのインナーソウルに足の指を固定するバンドを取り付けることにより、シューズの中での指先がシューズに固定され足の遊びがなくなり、シューズと足の一体を図ることが出来る。【００５】  この課題を解決するための請求項２の発明は、シューズのかかとの部分に足首を固定するバンドを取り付けることにより、シューズと足首が固定され足の遊びがなくなり、シューズと足の一体を図ることが出来る。
【発明の効果】
【００６】  本発明により、足がシューズの中で遊んでしまい本来の能力がロスなく充分に発揮出来ないという不安は解決され、シューズと足の一体化により足の能力がロスなくシューズに伝えることが出来充分に力を発揮することが出来る。
【発明を実施するための最良の形態】
【００７】  図１は、シューズに足の指を固定する為のゴム製、布製、皮製のバンドを取り付けた図である。図に示すようにシューズにバンドを取り付けることにより、シューズと足に遊びがなくなり、シューズと足の一体化が生まれ本来の能力をロスなく充分に発揮することが出来る。また、バンドの調整はシューズの裏で出来るようになっている。【００８】  図２は、シューズのかかとの部分にゴム製、布製、皮製のバンドを取り付けた図である。図に示すようにシューズのかかとの部分に足首を固定するバンドを取り付けることにより、シューズと足に遊びがなくなり、シューズと足の一体化が生まれ本来の能力をロスなく充分に発揮することが出来る。また、バンドの調整はシューズのかかとの部分で出来るようになっている。
【産業上の利用可能性】
【００９】  本発明に係るシューズのパーツは、工業的に量産する事が可能のため、産業上の利用可能性を有する。シューズのパーツは、初めからシューズに取り付けることが可能で、サッカーシューズ、バレーシューズ、ベースボールシューズ、等あらゆるシューズに適応出来るものである。
【図面の簡単な説明】
【０１０】
【図１】シューズに足の指を固定するバンドを取り付けた図である。
【図２】シューズに足首を固定するバンドを取り付けた図である。
【符号の説明】
【０１１】１  シューズ
２  足の指を固定するバンド
３  足首を固定するバンド
【図１】
2008200458.tif 000003
【図２】
2008200458.tif 000004